(57)【特許請求の範囲】
【請求項１】
押鍵操作により駆動される駆動体と、該駆動体によって駆動される被駆動体と、前記駆動体または前記被駆動体のいずれか一方を支持する支持部材と、鍵盤装置本体とを備え、前記支持部材を前記鍵盤装置本体に取り付けてなる鍵盤装置において、
前記支持部材及び前記鍵盤装置本体のいずれか一方に嵌合部を設けると共に他方に被嵌合部を設け、
前記嵌合部を前記被嵌合部に嵌合させることで前記支持部材の位置決めがなされるように構成し、
前記嵌合部を前記被嵌合部に嵌合させると共に、前記支持部材に設けた前記嵌合部または前記被嵌合部から離間した位置にて前記支持部材を前記鍵盤装置本体に固定手段で固定することにより、押鍵操作によって前記駆動体が前記被駆動体を駆動する位置関係に前記駆動体と前記被駆動体とがなるように、前記支持部材を前記鍵盤装置本体に取り付け、
前記被嵌合部は、軸部及び頭部を有する抑え部材であって前記支持部材または前記鍵盤装置本体の前記いずれか一方に取り付け固定された抑え部材で構成され、前記嵌合部が前記被嵌合部に嵌合したとき、前記抑え部材の前記頭部により前記支持部材の上下方向における位置が規制されると共に、前記抑え部材の前記軸部により前記支持部材の水平方向における位置が規制されるように構成したことを特徴とする鍵盤装置。
【請求項２】
前記支持部材の前記鍵盤装置本体への取り付け時には、前記支持部材を略水平方向に移動させることで前記嵌合部と前記被嵌合部とが嵌合する一方、前記支持部材の前記鍵盤装置本体からの取り外し時には、前記支持部材を前記取り付け時とは逆の行程を辿って移動させることで前記嵌合部と前記被嵌合部との嵌合が解除されるように構成したことを特徴とする請求項１記載の鍵盤装置。
【請求項３】
当接部を有し押鍵操作により駆動される質量体駆動体と、
該質量体駆動体の当接部と当接する被当接部を腕部に有し、鍵盤装置本体への組み付け後、押鍵操作に伴い前記質量体駆動体の当接部と前記腕部の被当接部との当接を介して回動中心を中心に回動可能に構成された質量体とを備えた鍵盤装置であって、
前記質量体の前記鍵盤装置本体への組み付け後に、前記質量体駆動体の当接部と前記質量体の被当接部とが押鍵操作時において当接する位置関係になるように、前記質量体の前記腕部における前記被当接部より先端側部分である腕部先端側部分が、前記質量体駆動体及び前記質量体を前記鍵盤装置本体に組み付ける際に、前記質量体駆動体及び前記質量体の少なくとも一方を導くように、前記腕部先端側部分の形状を形成したことを特徴とする鍵盤装置。
【請求項４】
当接部を有し押鍵操作により駆動される質量体駆動体と、
腕部に前記質量体駆動体の当接部と当接する被当接部を有すると共に、前記腕部における前記被当接部より先端側部分である腕部先端側部分に、前記質量体駆動体に当接することで該質量体駆動体を誘導するガイド部を有し、鍵盤装置本体への組み付け後、押鍵操作に伴い前記質量体駆動体の当接部と前記腕部の被当接部との当接を介して回動中心を中心に回動可能に構成された質量体とを備えた鍵盤装置であって、
前記質量体駆動体は、前記鍵盤装置本体に前記質量体が組み付けられた状態で、該質量体の前記腕部の先端側から前記回動中心側に向かって移動させられることで前記鍵盤装置本体に組み付けられるように構成され、
前記ガイド部は、前記質量体駆動体を前記質量体の前記腕部の先端側から前記回動中心側に向かって移動させるときに前記質量体駆動体と当接することで、前記当接部と前記被当接部とが当接状態となるように、前記質量体駆動体の進行方向の端部を導くように構成されたことを特徴とする鍵盤装置。
【請求項５】
前記腕部先端側部分の少なくとも一部を、前記腕部の先端部から前記質量体の被当接部の先端部近傍に向かって滑らかにつなげたガイド部として形成し、該ガイド部が、前記質量体駆動体の前記鍵盤装置本体への組み付け時に該質量体駆動体と摺接して該質量体駆動体の当接部を前記質量体の被当接部の先端部近傍に誘導するように構成したことを特徴とする請求項３記載の鍵盤装置。
【請求項６】
前記ガイド部は、前記質量体の前記腕部先端側部分の少なくとも一部を、前記腕部の先端部から前記質量体の被当接部の先端部近傍に向かって滑らかにつなげて形成され、該ガイド部が、前記質量体駆動体の前記鍵盤装置本体への組み付け時に該質量体駆動体と摺接して該質量体駆動体の当接部を前記質量体の被当接部の先端部近傍に誘導するように構成されたことを特徴とする請求項４記載の鍵盤装置。
【発明の詳細な説明】
【０００１】
【発明の属する技術の分野】
本発明は、複数の部品を支持可能な支持部材や押鍵操作により回動する質量体等を備えた鍵盤装置に関する。
【０００２】
【従来の技術】
従来、押鍵操作により駆動される質量体（ハンマ体）等の駆動部品や着脱可能な部品等、各種部品を支持するハンマ支持部材等の支持部材を鍵盤装置本体に取り付けてなる鍵盤装置が知られている（第１の従来の鍵盤装置）。この装置では一般に、支持部材を、その前部及び後部のそれぞれを複数の箇所でネジ止め等することで本体に固定するようにしている。
【０００３】
一方、適当な押鍵感触を得るための質量体が押鍵操作により回動するように構成された鍵盤装置が知られている（第２の従来の鍵盤装置）。この装置は、鍵によって直接、または介在部材を介して間接的に質量体を回動させるように構成されている。例えば鍵で質量体を直接回動駆動するようにする場合は、質量体の腕部に鍵と当接する被当接部であるネジ等の部材を突設し、押鍵により、上記突設した被当接部に鍵が当接して質量体が連動回動するように構成される。押鍵時に質量体の被当接部の前後方向の部分が鍵と干渉しないようにクリアランスが必要とされるときは、被当接部は上記のように突設された形態となることが多い。
【０００４】
鍵及び質量体の組み付けは、例えば質量体を回動中心で本体に事前に支持した上で、後から鍵を本体に取り付けるようにしている。その際、鍵の当接部と質量体の被当接部とは最終的にオーバーラップする位置に収まるが、例えば質量体の腕部下面に被当接部が突設された場合では、鍵は、質量体の下方において質量体の先端側から質量体の回動中心側に向かって挿入するように移動させることで本体に組み付けられる。
【０００５】
【発明が解決しようとする課題】
しかしながら、上記第１の従来の鍵盤装置では、支持部材を前部で複数箇所及び後部で複数箇所というように、多数の箇所でネジ止め等で本体に固定するようにしていたため、取り付け作業が煩雑で、組み付け工程簡略化の観点からは改善の余地があった。
【０００６】
また、多数の部品が取り付けられる支持部材では、部品取り付け後はネジ止め等する固定部がかくれてみえにくくなり、ネジ止め作業も困難になるため、支持部材を本体に固定してから各部品を支持部材に取り付けるように組み付け工程を組む必要があり、工程編成に自由度がなかった。
【０００７】
さらに、組み付け後にメンテナンス等で支持部材を本体から取り外す必要がある場合、上記のように固定部が部品にかくれていると、邪魔な部品を先に取り外した後でないと支持部材の取り外しが円滑にできないため、解体作業が繁雑になる。しかも、部品取り外し時に細かい部品を脱落させてしまう等の弊害も誘発される。
【０００８】
このような問題は、押鍵により質量体を回動させるタイプの装置であって鍵と質量体とが支持部材の上方でオーバーラップするような構成の装置である場合、一層顕著となる。
【０００９】
一方、上記第２の従来の鍵盤装置では、鍵の本体への組み付け後は、鍵の当接部（例えば鍵の上面）が質量体の被当接部の先端部に当接可能な位置に収まらなければならない。しかしながら、質量体の被当接部は質量体下面等に突設された形状をしているため、鍵を本体に組み付ける際に質量体の回動中心側に向かって移動、挿入していくと、鍵の進行方向の端部が出っ張った被当接部にひっかかりやすく、鍵の取り付けが困難であるという問題があった。
【００１０】
このように、支持部材や鍵の組み付けに関し、組み付け性をより向上させる上で改善の余地があった。
【００１１】
本発明は上記従来技術の問題を解決するためになされたものであり、その第１の目的は、駆動体または被駆動体を支持する支持部材の鍵盤装置本体への組み付け性を向上することができる鍵盤装置を提供することにある。また、第２の目的は、質量体駆動体乃至質量体の鍵盤装置本体への組み付け性を向上することができる鍵盤装置を提供することにある。
【００１２】
【課題を解決するための手段】
上記第１の目的を達成するために本発明の請求項１の鍵盤装置は、押鍵操作により駆動される駆動体と、該駆動体によって駆動される被駆動体と、前記駆動体または前記被駆動体のいずれか一方を支持する支持部材と、鍵盤装置本体とを備え、前記支持部材を前記鍵盤装置本体に取り付けてなる鍵盤装置において、前記支持部材及び前記鍵盤装置本体のいずれか一方に嵌合部を設けると共に他方に被嵌合部を設け、前記嵌合部を前記被嵌合部に嵌合させることで前記支持部材の位置決めがなされるように構成し、前記嵌合部を前記被嵌合部に嵌合させると共に、前記支持部材に設けた前記嵌合部または前記被嵌合部から離間した位置にて前記支持部材を前記鍵盤装置本体に固定手段で固定することにより、押鍵操作によって前記駆動体が前記被駆動体を駆動する位置関係に前記駆動体と前記被駆動体とがなるように、前記支持部材を前記鍵盤装置本体に取り付け、前記被嵌合部は、軸部及び頭部を有する抑え部材であって前記支持部材または前記鍵盤装置本体の前記いずれか一方に取り付け固定された抑え部材で構成され、前記嵌合部が前記被嵌合部に嵌合したとき、前記抑え部材の前記頭部により前記支持部材の上下方向における位置が規制されると共に、前記抑え部材の前記軸部により前記支持部材の水平方向における位置が規制されるように構成したことを特徴とする。
【００１３】
この構成によれば、支持部材及び鍵盤装置本体のいずれか一方に設けた嵌合部を他方に設けた被嵌合部に嵌合させることで支持部材の位置決めがなされ、さらに支持部材における嵌合部または被嵌合部から離間した位置にて支持部材を鍵盤装置本体に固定手段で固定することにより、押鍵操作によって駆動体が被駆動体を駆動する位置関係に駆動体と被駆動体とがなるように、支持部材が鍵盤装置本体に取り付けられる。これにより、嵌合部及び被嵌合部を嵌合させると共に、これと離間した位置で固定するだけで、支持部材の位置決めがなされると共に支持部材の取付が完了する。従って、多数箇所でネジ等だけで位置決め及び固定する場合に比し、支持部材の取り付けが容易であり、組み付け工程も簡略化される。また、嵌合する箇所が駆動体、被駆動体等の部品によってかくれるような場合であっても、嵌合箇所はネジ止め作業が不要であるため、支持部材を鍵盤装置本体に取り付ける以前に駆動体または被駆動体を支持部材に先に組み付ける等、工程編成の自由度を確保することができる。よって、駆動体または被駆動体を支持する支持部材の鍵盤装置本体への取り付け工程を簡略化して組み付け性を向上することができる。また、取り付け固定された軸部及び頭部を有する抑え部材で構成された被嵌合部に嵌合部が嵌合したとき、抑え部材の頭部により支持部材の上下方向における位置が規制されると共に、抑え部材の軸部により支持部材の水平方向における位置が規制される。これにより、簡単な構成で支持部材の位置決めをすることができる。例えば支持部材に切り欠き状の嵌合部を設けると共に、ネジ状の抑え部材を被嵌合部としてその頭部がやや浮くようにして鍵盤装置本体に取り付け固定すれば、支持部材を抑え部材に向けて水平方向に移動して上記切り欠き部を抑え部材に差し込むだけで嵌合部を被嵌合部に嵌合させることができ、簡単な作業で支持部材を位置決めすることができる。取り外し作業も容易である。
【００１４】
同じ目的を達成するために本発明の請求項２の鍵盤装置は、上記請求項１記載の構成において、前記支持部材の前記鍵盤装置本体への取り付け時には、前記支持部材を略水平方向に移動させることで前記嵌合部と前記被嵌合部とが嵌合する一方、前記支持部材の前記鍵盤装置本体からの取り外し時には、前記支持部材を前記取り付け時とは逆の行程を辿って移動させることで前記嵌合部と前記被嵌合部との嵌合が解除されるように構成したことを特徴とする。
【００１５】
この構成によれば、支持部材を略水平方向に移動させることで嵌合部と被嵌合部とが嵌合し、これによって支持部材が鍵盤装置本体に取り付けられる。一方、支持部材を取り付け時とは逆の行程を辿って移動させることで嵌合部と被嵌合部との嵌合が解除され、これによって支持部材が鍵盤装置本体から取り外される。これにより、支持部材の位置決めのためには支持部材を水平移動すれば足り、また、取り外しのときも逆行程の動作をすれば足りるので、支持部材の取り付けが容易になるだけでなく取り外しも容易になる。また、組み付け後にメンテナンス等で支持部材を鍵盤装置本体から取り外す必要がある場合に、嵌合箇所が駆動体、被駆動体等の部品にかくれていても、駆動体または被駆動体をつけたまま支持部材ごと鍵盤装置本体から取り外すことができ、解体作業が容易になり、駆動体または被駆動体の取り外しによる脱落の心配も解消する。よって、支持部材の鍵盤装置本体に対する着脱作業を容易にして組み付け性を向上することができる。
【００１８】
上記第２の目的を達成するために本発明の請求項３の鍵盤装置は、当接部を有し押鍵操作により駆動される質量体駆動体と、該質量体駆動体の当接部と当接する被当接部を腕部に有し、鍵盤装置本体への組み付け後、押鍵操作に伴い前記質量体駆動体の当接部と前記腕部の被当接部との当接を介して回動中心を中心に回動可能に構成された質量体とを備えた鍵盤装置であって、前記質量体の前記鍵盤装置本体への組み付け後に、前記質量体駆動体の当接部と前記質量体の被当接部とが押鍵操作時において当接する位置関係になるように、前記質量体の前記腕部における前記被当接部より先端側部分である腕部先端側部分が、前記質量体駆動体及び前記質量体を前記鍵盤装置本体に組み付ける際に、前記質量体駆動体及び前記質量体の少なくとも一方を導くように、前記腕部先端側部分の形状を形成したことを特徴とする。
【００１９】
この構成により、質量体駆動体及び質量体を前記鍵盤装置本体に組み付ける際に、質量体駆動体が質量体の被当接部にひっかかる等の不具合を回避して、質量体駆動体及び質量体を正規の位置に導き易くすることができる。従って、質量体駆動体または質量体の鍵盤装置本体への組み付け性を向上することができる。
【００２０】
同じ目的を達成するために本発明の請求項４の鍵盤装置は、当接部を有し押鍵操作により駆動される質量体駆動体と、腕部に前記質量体駆動体の当接部と当接する被当接部を有すると共に、前記腕部における前記被当接部より先端側部分である腕部先端側部分に、前記質量体駆動体に当接することで該質量体駆動体を誘導するガイド部を有し、鍵盤装置本体への組み付け後、押鍵操作に伴い前記質量体駆動体の当接部と前記腕部の被当接部との当接を介して回動中心を中心に回動可能に構成された質量体とを備えた鍵盤装置であって、前記質量体駆動体は、前記鍵盤装置本体に前記質量体が組み付けられた状態で、該質量体の前記腕部の先端側から前記回動中心側に向かって移動させられることで前記鍵盤装置本体に組み付けられるように構成され、前記ガイド部は、前記質量体駆動体を前記質量体の前記腕部の先端側から前記回動中心側に向かって移動させるときに前記質量体駆動体と当接することで、前記当接部と前記被当接部とが当接状態となるように、前記質量体駆動体の進行方向の端部を導くように構成されたことを特徴とする。
【００２１】
この構成により、質量体駆動体を質量体の腕部の先端側から回動中心側に向かって移動させるときに、質量体駆動体の進行方向の端部が質量体の被当接部にひっかかりにくくなる。従って、質量体駆動体を質量体の腕部の先端側から回動中心側に向かって移動するだけで質量体駆動体を自然に正規の位置に収めることができる。よって、質量体駆動体の鍵盤装置本体への組み付け性を向上することができる。
【００２２】
同じ目的を達成するために本発明の請求項５の鍵盤装置は、上記請求項３記載の構成において、前記腕部先端側部分の少なくとも一部を、前記腕部の先端部から前記質量体の被当接部の先端部近傍に向かって滑らかにつなげたガイド部として形成し、該ガイド部が、前記質量体駆動体の前記鍵盤装置本体への組み付け時に該質量体駆動体と摺接して該質量体駆動体の当接部を前記質量体の被当接部の先端部近傍に誘導するように構成したことを特徴とする。
【００２３】
この構成により、質量体の腕部における被当接部よりも腕部先端側部分の少なくとも一部に形成されたガイド部が、腕部の先端部から質量体の被当接部の先端部近傍に向かって滑らかにつなげられているので、質量体駆動体の鍵盤装置本体への組み付け時に該質量体駆動体がガイド部に摺接して、該質量体駆動体の当接部がガイド部により質量体の被当接部の先端部近傍に誘導される。これにより、質量体駆動体を鍵盤装置本体に組み付ける際に、質量体の腕部のガイド部によってガイドされ、質量体駆動体が被当接部にひっかかる等の不具合を回避して正規の位置に導きやすくすることができる。よって、質量体駆動体の鍵盤装置本体への組み付け性を向上することができる。
同じ目的を達成するために本発明の請求項６の鍵盤装置は、上記請求項４記載の構成において、前記ガイド部は、前記質量体の前記腕部先端側部分の少なくとも一部を、前記腕部の先端部から前記質量体の被当接部の先端部近傍に向かって滑らかにつなげて形成され、該ガイド部が、前記質量体駆動体の前記鍵盤装置本体への組み付け時に該質量体駆動体と摺接して該質量体駆動体の当接部を前記質量体の被当接部の先端部近傍に誘導するように構成されたことを特徴とする。
この構成により、質量体駆動体の鍵盤装置本体への組み付け性を向上することができる。
【００２４】
【発明の実施の形態】
以下、本発明の実施の形態を図面を参照して説明する。
【００２５】
（第１の実施の形態）
図１は、本発明の第１の実施の形態に係る鍵盤装置の部分縦断面図である。同図では、上ケースや蓋体等は省略されている。なお、以下、本鍵盤装置の演奏者側（同図左方）を前方、演奏者からみて鍵後端方向（同図右方）を後方とそれぞれ称する。
【００２６】
本装置は、例えば電子鍵盤楽器として構成され、押鍵操作されるシーソー型の鍵１（白鍵１Ｗ及び黒鍵１Ｂ）（質量体駆動体）と、質量体支持部材２０と、該支持部材２０によって回動自在に支持され鍵１によって駆動されて回動する質量体４０とを有する。質量体４０は、白鍵１Ｗ及び黒鍵１Ｂの各々に対応して設けられ、質量配分等を除きいずれも同様に構成される。支持部材２０は、例えば１オクターブ毎に構成される（図２）。
【００２７】
棚板２上には鍵フレーム１０が設けられている。鍵フレーム１０上には鍵支持部３が設けられ、鍵支持部３には支点ピン６（白鍵用支点ピン６Ｗ、黒鍵用支点ピン６Ｂ）が各鍵１に対応して突設されている。各鍵１Ｗ、１Ｂにはそれぞれ支点穴１Ｗａ、１Ｂａが設けられている。支点穴１Ｗａ、１Ｂａはいずれも、下方に向かって縮径している。各鍵１の鍵盤装置本体への組み付け（本実施の形態では鍵フレーム１０を介した棚板２への取り付け）時には、支点ピン６が支点穴１Ｗａ、１Ｂａを貫通し、これにより、各鍵１の鍵並び方向及び鍵長手方向の位置が規制されると共に、各鍵１が鍵支持部３によって押離鍵方向に回動自在に支持される。各鍵１の後端部上面には、ラバーが貼着され、このラバーが貼着された部分は後述する質量体４０の発音位置調整ネジ４１（被当接部）と当接して質量体４０を駆動する駆動部９（当接部）として機能する。上記ラバーにより当接がチャタリングなく円滑にされている。
【００２８】
鍵フレーム１０の前部には、押鍵ストッパ４（白鍵用押鍵ストッパ４Ｗ、黒鍵用押鍵ストッパ４Ｂ）及びキーガイド５（白鍵用キーガイド５Ｗ、黒鍵用キーガイド５Ｂ）が各鍵１毎に設けられている。押鍵ストッパ４は鍵１と当接して鍵１の押鍵の回動終了位置を規制する。キーガイド５は、鍵１の回動時における鍵並び方向への揺動を抑制する。
【００２９】
鍵フレーム１０上における押鍵ストッパ４、キーガイド５の後方であって鍵支持部３の前方には、スイッチ基板７が設けられ、該スイッチ基板７には各鍵１毎に第１の押鍵スイッチ８が設けられている。第１の押鍵スイッチ８は押鍵操作を検出する。
【００３０】
図２は、支持部材２０を上方からみた平面図である。図３は、図２のＡ−Ａ線に沿う断面図（同図（ａ））に被嵌合部の断面図（同図（ｂ））を併せて示した図である。図４は、支持部材２０の下面図である。図２〜図４では、質量体４０や後述するスイッチ基板２３が取り付けられていない状態が示されている。
【００３１】
図１に示すように、質量体支持部材２０は、棚板２上における鍵１の後端部近傍に設けられている。支持部材２０は、上述したように１オクターブ単位で構成される。支持部材２０の前部には、非押鍵時用ストッパ２１が各鍵１毎に設けられており、非押鍵時用ストッパ２１は、鍵１と当接して鍵１の押鍵の開始位置（図１）、すなわち非押鍵時の位置を規制する。支持部材２０の後部には、質量体用ストッパ２２が各質量体４０毎に設けられている。質量体用ストッパ２２は、質量体４０の当接部４４と当接して、押鍵に伴う質量体４０の回動の終了位置を規制すると共に、緩衝機能を果たす。
【００３２】
支持部材２０にはさらに、スイッチ基板２３が設けられる。スイッチ基板２３は、複数の支持部材２０に対応、例えば全鍵に対応して設けられ、ネジ２４によって支持部材２０に固定されている。スイッチ基板２３上には第２の押鍵スイッチ２５が各質量体４０毎に設けられている。第２の押鍵スイッチ２５は、質量体４０によって押下され、鍵１の押鍵動作を間接的に検出する。なお、本実施の形態では、押鍵スイッチ８及び第２の押鍵スイッチ２５の双方による検出結果に基づいて、所定のアルゴリズムによる多彩な楽音制御が可能なように構成されているが、押鍵スイッチ８及び第２の押鍵スイッチ２５のいずれか一方による検出結果に基づいて楽音制御を行うようにしてもよい。
【００３３】
支持部材２０にはさらに、後部の互いに離間した２箇所に係止部２６が突設され、質量体４０の係止部４３と共に鍵１乃至質量体４０の組み付け時に利用される場合があるが、その詳細は後述する。
【００３４】
支持部材２０には、図１に示すように回動軸部３２が設けられる。回動軸部３２は、図２、図３に示すように、左側突起部３２Ｌ及び右側突起部３２Ｒで構成され、各質量体４０に対応して設けられる。回動軸部３２は後述する質量体４０の軸受け部４５（回動中心）と係合して質量体４０を回動自在に支持する。
【００３５】
支持部材２０には、図２に示すように、スイッチ基板２３の取り付け時にスイッチ基板２３を位置決めするためのピン２９、及びスイッチ基板２３をネジ２４で固定するためのネジ穴２８が適当数設けられている。また、支持部材２０の前部には補強用のリブ３１が複数設けられている。
【００３６】
支持部材２０は、図３に示すように、嵌合部Ｋ及び固定部Ｍで棚板２に取り付け固定される。同図には、嵌合部Ｋが嵌合する被嵌合部Ｈのほか、ネジ６１（固定手段）が併せて図示されている。同図に示すように、被嵌合部Ｈは、棚板２上に座金付き肩付きネジ６０（抑え部材）が螺合されてなる。座金付き肩付きネジ６０は、一般にショルダースクリューと呼称され、ネジ部６０ｃ及び非ネジ部６０ｂからなる軸部と頭部６０ａと座金６０ｄとから構成される市販の特殊ネジである。座金６０ｄはネジ部６０ｃの上端部に予め嵌装されており、非ネジ部６０ｂ側にはいかないように構成されている。座金付き肩付きネジ６０を棚板２に螺合すると、座金６０ｄが棚板２に当接して座金６０ｄの上面と頭部６０ａの下部６０ａａとの間に所定のクリアランスが生じるようになっている。
【００３７】
一方、嵌合部Ｋは、被嵌合部Ｈに対応して支持部材２０の前部における例えば２箇所に設けられ（図２、図４）、前壁部３３の下部から前方に延設された鍔部２７で構成される。この鍔部２７は支持部材２０の金型による成形時に支持部材２０と一体に形成される。鍔部２７は、上方からみるとコ字状に開口した切り欠きのような形状をしている。両側面２７ｃ及び後端面２７ｄからコ字状の内側面が形成される。
【００３８】
後述するように、支持部材２０を鍵盤装置本体に組み付ける、すなわち棚板２に取り付ける際には、支持部材２０を前方方向に水平にスライドさせて嵌合部Ｋを被嵌合部Ｈに差し込んで嵌合させる。鍔部２７の厚みは、座金付き肩付きネジ６０における座金６０ｄの上面と頭部６０ａとの間のクリアランスにほぼ等しく、通常は、鍔部２７が座金６０ｄと頭部下部６０ａａとに挟まれることで、嵌合部Ｋが被嵌合部Ｈに嵌合する。
【００３９】
なお、鍔部２７の厚みがばらつき等により上記クリアランスより薄く形成されることが想定される場合には、鍔部２７の上面２７ｅが座金付き肩付きネジ６０の頭部下部６０ａａに当接するようにすれば足り、鍔部２７の下面２７ａは座金付き肩付きネジ６０の座金６０ｄと離間するようになってもよい。このようにした場合でも、ネジ６０の頭部下部６０ａａにより鍔部２７が下方に押圧されるので、支持部材２０の前部の浮きが防止されると共に、上下方向における位置が正確に規制される。なお、同様の観点から、座金付き肩付きネジ６０に代えて通常のネジ（座金なしの頭部有り）を棚板２から頭部が少し浮くように螺合しておき、鍔部２７の上面２７ｅがこの通常ネジの頭部下部に当接するようにしてもよい。
【００４０】
鍔部２７の前部上部は前方にいくに従い下方に傾斜した傾斜面２７ｂとなっており、前方にいくほど厚みが薄くなっている。この傾斜面２７ｂにより、支持部材２０を組み付ける際、鍔部２７が座金付き肩付きネジ６０の頭部６０ａの下方に誘導され、嵌合部Ｋと被嵌合部Ｈとの嵌合が円滑になる。
【００４１】
嵌合部Ｋと被嵌合部Ｈとが嵌合すると、座金付き肩付きネジ６０の非ネジ部６０ｂが嵌合部Ｋの後端面２７ｄに当接して、支持部材２０の前後方向の位置が規制される。ネジ６０の非ネジ部６０ｂはさらに、嵌合部Ｋの両側面２７ｃ間に僅かな間隙をもって挟まれ、これにより支持部材２０の鍵並び方向への動きが抑制されると共に、鍵並び方向の位置が規制される。
【００４２】
なお、嵌合部Ｋは鍔部２７を樹脂で形成することで弾性を確保し、嵌合部Ｋと被嵌合部Ｈとの良好な嵌合性を維持するようにしたが、嵌合部Ｋまたは被嵌合部Ｈの少なくとも一方を弾性部材で構成すればよい。例えば被嵌合部Ｈの構成を変え、座金付き肩付きネジ６０の頭部６０ａや非ネジ部６０ｂに相当する部分を弾性部材で形成するようにしてもよい。
【００４３】
固定部Ｍは、支持部材２０の後部２箇所に設けられた楕円状の長穴３０で構成される（図２、図４）。後述するように、支持部材２０を棚板２に取り付ける際には、嵌合部Ｋを被嵌合部Ｈに嵌合させた後、固定部Ｍを棚板２に固定する。固定部Ｍに対応する棚板２の位置にはネジ穴が設けられており、このネジ穴に固定部Ｍがネジ６１で上方からネジ止めされることで支持部材２０の後部が棚板２に固定される。長穴３０が楕円状に形成されているので、嵌合部Ｋ及び被嵌合部Ｈによる位置決めの多少の誤差を吸収して固定部Ｍを容易に固定することができる。
【００４４】
支持部材２０の棚板２への取りけは次のようにして行う。なお、質量体４０等の部品の支持部材２０への組み付けは、支持部材２０を棚板２に組み付ける前に行ってもよいが、棚板２に組み付けた後に行うようにしてもよい。
【００４５】
まず、図３に示すように、座金付き肩付きネジ６０を棚板２に螺合して被嵌合部Ｈを構成しておく。次いで、支持部材２０を棚板２上を前方に向かって真っ直ぐスライドさせ、嵌合部Ｋを被嵌合部Ｈに嵌合させる。その後、ネジ６１を上方から長穴３０を貫通して棚板２に螺合することにより、固定部Ｍを棚板２に固定する。従来のように支持部材２０の前部及び後部の双方をネジ止めで固定する場合に比し、支持部材２０を容易に組み付けることができる。
【００４６】
一方、支持部材２０を取り外す際には、組み付け時とは逆の行程を辿ればよい。すなわち、まずネジ６１を外し、支持部材２０を後方へスライド移動して嵌合部Ｋと被嵌合部Ｈとの嵌合を解けば、容易に取り外しができる。
【００４７】
支持部材２０はオクターブ毎に構成されているので、全ての支持部材２０について同様に取り付け、取り外しを行うことができる。支持部材２０は複数併設という形態をとっているが、各支持部材２０は長方形（あるいは正方形）に形成されている（左右両側面が鍵長手方向に沿っている）ので、前後方向へのスライド時に、隣接される支持部材２０との干渉が生じない。従って、各支持部材２０の取り付け、取り外しを独自に行うことができ、作業が容易である。
【００４８】
図５は、質量体４０の側面図である。
【００４９】
質量体４０（ハンマ体）は、適当な押鍵感触を得るために設けられる。質量体４０は、支持部材２０の回動軸部３２（左側突起部３２Ｌ、３２Ｒ）が嵌合する欠円状の軸受け部４５を左右両側面に有し、上述したように、支持部材２０の回動軸部３２によって軸受け部４５で回動自在に支持され、押離鍵時には軸受け部４５を回動支点として回動する。
【００５０】
質量体４０は、軸受け部４５から前方に延びる前方延設部４０Ａ（腕部）と、軸受け部４５から後方に延びる後方延設部４０Ｂとから構成される。質量体４０には、押鍵時に適当な慣性力を得るための質量として、前方延設部４０Ａの頭部４６（腕部先端側部分、先端部）及び後方延設部４０Ｂの尾部４７に鉄等の金属が埋設されている。
【００５１】
質量体４０は、前方延設部４０Ａの方が後方延設部４０Ｂよりも重く設定されており、従って、支持部材２０に組み付けられた自由状態では、頭部４６が下がる。しかし、鍵１が組み付けられた後は非押鍵状態で鍵１の駆動部９と常に当接し、その当接力によって頭部４６は自由状態よりも高い位置で非押鍵時の安定状態となる。なお、質量体４０と鍵１との当接を、質量体４０の自重によることなくバネやゴム等の弾性部材により常時維持するように構成してもよい。
【００５２】
後方延設部４０Ｂの下面には、アクチュエータ４２が設けられ、アクチュエータ４２は、質量体４０の回動に伴い支持部材２０の押鍵スイッチ２５を押下する。後方延設部４０Ｂの後部上面には、係止部４３が突設されている。後方延設部４０Ｂの後端部下面には、当接部４４が形成されている。当接部４４は、質量体４０の回動によって支持部材２０の質量体用ストッパ２２に当接する。
【００５３】
発音位置調整ネジ４１は延設部４０Ａに設けられている。発音位置調整ネジ４１は、頭部４１ａ（先端部）、調整部４１ｂ及び軸部４１ｃが一体となって構成され、例えば質量体４０の金型による成形時にインサート成形により質量体４０に取り付けられる。発音位置調整ネジ４１は、頭部４１ａが鍵１の駆動部９と当接して押鍵による駆動力を質量体４０に伝達し、これによって質量体４０が回動する。
【００５４】
発音位置調整ネジ４１の頭部４１ａは曲面状に形成されており、鍵１の駆動部９との当接点が回動行程において滑らかに移動して、押鍵感触への悪影響が防止されている。調整部４１ｂには例えばプラスまたはマイナス状の溝が切られ（図示せず）、頭部４１ａの下方への突出量をドライバで調整可能になっており、これによって、質量体４０の回動量と押鍵スイッチ２５の検出による発音タイミングとの関係を調整することができる。
【００５５】
なお、発音位置調整ネジ４１は、調整部４１ｂを頭部４１ａ及び軸部４１ｃとは別体で構成し、質量体４０にネジ穴を設けて軸部４１ｃを螺合した後に調整部４１ｂを取り付けるようにしてもよい。また、プラスまたはマイナス状の溝を頭部４１ａの先端部に切り、ドライバ等で頭部４１ａの突出量を調整可能に構成してもよい。
【００５６】
発音位置調整ネジ４１の頭部４１ａは、鍵盤装置の使用時において質量体４０から下方に突出し、頭部４１ａと軸受け部４５との間、及び頭部４１ａと前方延設部４０Ａの頭部４６の後部４６ｂとの間には、適当な隙間が生じている。これらの隙間により、質量体４０の回動行程において鍵１の駆動部９乃至後端部上面との干渉が回避され、適当な回動状態が確保される。
【００５７】
前方延設部４０Ａの頭部４６の下面４６ａ（ガイド部）は、側方からみて滑らかな直線状であり、図１に示すように非押鍵状態において鍵１の上面に近接しており、上下方向の省スペースを図っている。また、下面４６ａより前方の下面前部４６ｃは前方にいくに従い上方に傾斜し、後述するように鍵１の組み付けが円滑にされている。下面４６ａより後方の下面後部４６ｂは後方にいくに従い上方に傾斜している。下面４６ａは、非押鍵状態において前方が鍵１上面に対してやや開き気味に設定されているが（図１）、下面後部４６ｂが傾斜していることで、製品ばらつきがあっても下面後部４６ｂと鍵１上面との干渉が生じにくいようになっている。なお、下面４６ａが非押鍵状態において鍵１上面と略平行になるように設定してもよい。
【００５８】
発音位置調整ネジ４１は、質量体４０を支持部材２０に取り付ける以前に各質量体４０の各々について個別におおよその調整がなされ、調整後は、頭部４１ａの先端が質量体４０の頭部４６の下面４６ａの延長線上よりやや突出する位置になるように設定されている。すなわち、下面４６ａの延長線が少なくとも発音位置調整ネジ４１の頭部４１ａより質量体４０側（例えば軸部４１ｃ）を通ることがなく、必ず頭部４１ａより反前記質量体４０側を通るように設定されている。ほとんどの質量体４０では、下面４６ａの延長線が発音位置調整ネジ４１の頭部４１ａの曲面部分を通るように設定されている。このような設定により、押鍵時の質量体４０の回動が適切に行われるだけでなく、次に説明するように鍵１の組み付けにも好都合である。
【００５９】
鍵１の棚板２への取り付けは、基本的には、支持部材２０に質量体４０が取り付けられ、しかも支持部材２０が棚板２に組み付けられた後に行われる。
【００６０】
図６は、鍵１の組み付け直前の鍵盤装置の状態を示す部分縦断面図である。図７は、鍵１の組み付け終了間際の鍵盤装置の状態を示す部分縦断面図である。図６では、白鍵１Ｗの取り付けを例示し、黒鍵１Ｂの図示を省略している。
【００６１】
上述したように、質量体４０は支持部材２０に組み付けられた自由状態では、頭部４６が下がっているので、まず、図６に示すように、支点ピン６（６Ｗ）上に鍵１（１Ｗ）を載せ、支点ピン６をてこにして鍵１の後端上部１ｂを質量体４０の頭部４６の下面前部４６ｃに当て、頭部４６を起こすようにする。あるいは手で頭部４６を起こすようにしてもよい。この状態で鍵１を支点ピン６上をスライドさせて後方に移動すると、鍵１の後端上部１ｂが質量体４０の下面前部４６ｃ沿って進み、質量体４０の頭部４６がさらに起こされ、鍵１の後端上部１ｂがやがて質量体４０の下面４６ａに沿って（摺接しつつ）進む。それに伴い、鍵１の支点穴１Ｗａが支点ピン６Ｗの突設位置にくると、支点ピン６Ｗが支点穴１Ｗａを貫通するようになる。
【００６２】
鍵１の後端上部１ｂが質量体４０の下面４６ａに沿って進んでいくとき、鍵１の後端部下面は非押鍵時用ストッパ２１に摺接し、鍵１の後端部が下面４６ａ及び非押鍵時用ストッパ２１間を進むことになる。そして、上述したように下面４６ａの延長線が発音位置調整ネジ４１の頭部４１ａの曲面部分を通るように設定されているので、下面４６ａとの摺接により、鍵１の後端上部１ｂが調整ネジ４１の頭部４１ａの下方に潜り込むように誘導される。従って、調整ネジ４１の軸部４１ｃ等に鍵１の後端上部１ｂがひっかかって組み付け作業が阻害される等の不具合が解消する。
【００６３】
このように、質量体４０の下面前部４６ｃ及び下面４６ａは、鍵１を組み付ける際のガイド機能を果たす。特に下面前部４６ｃは、鍵１の移動開始時に後端上部１ｂが質量体４０の頭部４６下方に潜り込みやすくし、下面４６ａは、鍵１の発音位置調整ネジ４１へのひっかかりを防止しつつ駆動部９を正規の位置に導く。
【００６４】
鍵１の組み付け時の移動において、鍵１の駆動部９が調整ネジ４１の頭部４１ａに当接する位置に至るのは、支点ピン６Ｗが支点穴１Ｗａを貫通して鍵１が降りてくるのとほぼ同時である。すなわち、支点ピン６Ｗが支点穴１Ｗａを貫通すると、図７に示すように、鍵１の駆動部９が発音位置調整ネジ４１の頭部４１ａに当接する。この状態で鍵１から手を離せば、鍵１が鍵支持部３上に完全に載り、鍵１の自重による回動に伴い質量体４０の頭部４６が少し持ち上がり、図１の非押鍵状態に自然に移行する。なお、黒鍵１Ｂについても取り付け方法は白鍵１Ｗと同様である。
【００６５】
本実施の形態によれば、支持部材２０を水平移動して嵌合部Ｋを被嵌合部Ｈに差し込んで嵌合させるだけで支持部材２０の水平方向及び上下方向の位置決めがなされ、嵌合部Ｋから離間した位置にて支持部材２０の固定部Ｍをネジ止め固定することにより支持部材２０を棚板２に固定し、もって鍵盤装置本体への取り付けが完了するようにしたので、多数箇所でネジ等だけで位置決め及び固定する場合に比し、支持部材の取り付けが容易であり、組み付け工程も簡略化される。特に、軸部及び頭部を有する座金付き肩付きネジ６０で被嵌合部Ｈを構成し、嵌合部Ｋが被嵌合部Ｈに嵌合したとき、座金付き肩付きネジ６０の頭部下部６０ａａにより支持部材２０の上下方向における位置が規制されると共に、軸部（非ネジ部６０ｂ）により支持部材２０の水平方向（前後左右両方向）における位置が規制されるので、簡単な構成で支持部材の位置決めをすることができる。取り外し作業も容易である。
【００６６】
また、嵌合部Ｋが質量体４０や他の部品によってかくれるが、嵌合部Ｋではネジ止め作業が不要であるため、支持部材２０を棚板２に取り付ける以前に質量体４０等の部品を支持部材２０に事前に組み付けておくこともでき、工程編成の自由度を確保することができる。
【００６７】
また、取り付け時とは逆の行程を辿って支持部材２０を水平移動させることで嵌合部Ｋと被嵌合部Ｈとの嵌合が解除され、棚板２から取り外されるようにしたので、支持部材の取り付けが容易になるだけでなく取り外しも容易になる。また、組み付け後にメンテナンス等で支持部材２０を本体から取り外す必要がある場合に、嵌合部Ｋが質量体４０や他の細かい部品にかくれているが、これらの部品をつけたまま支持部材２０ごと本体から水平移動により取り外すことができるので、解体作業が容易になり、部品取り外しによる部品脱落等の心配も解消する。本実施の形態のように嵌合部Ｋの上方で質量体４０と鍵１の後端部とがオーバーラップする構成をとる場合は、特に有用である。よって、支持部材の取り付け工程を簡略化すると共に、着脱作業を容易にして組み付け性を向上することができる。
【００６８】
さらに本実施の形態によれば、質量体４０の頭部４６の下面前部４６ｃ乃至下面４６ａに鍵１の組み付け時のガイド機能を持たせ、鍵１を質量体４０の頭部４６側から軸受け部４５側に向かって移動させるだけで、鍵１の後端上部１ｂが質量体４０の頭部４６の下面前部４６ｃ乃至下面４６ａに摺接しつつ進み、鍵１の進行方向の端部である後端上部１ｂが、頭部４１ａの下方に潜り込むように誘導（ガイド）されるようにしたので、発音位置調整ネジ４１の頭部４１ａ近傍より質量体４０側に向かって鍵１が移動することを阻止することができ、鍵１の後端上部１ｂが調整ネジ４１にひっかかることなく、鍵１の駆動部９を自然に正規の位置に収めることができる。よって、鍵１の組み付け性を向上することができる。
【００６９】
なお、本実施の形態では、鍵１の組み付け時に後端上部１ｂで頭部４６を起こすような動作を行うようにしたが、次のように係止部２６及び係止部４３を用いることでこの動作を省略してもよい。
【００７０】
すなわち、質量体４０の係止部４３と支持部材２０の係止部２６との間にひもやゴム等をひっかけ、後方延設部４０Ｂを予め下げておく、つまり質量体４０を回動終了位置近傍まで事前に回動させた状態にしておく。この状態であれば、頭部４６が十分に起きているので、鍵１を後方に向かって移動し、後端上部１ｂが頭部４６の下面前部４６ｃまたは下面４６ａに当接してから係止部４３と係止部２６とのひも等によるひっかけを解けば、後は上述したような流れで容易に後端上部１ｂを正規の位置に収めることができる。係止部２６及び係止部４３を用いることは、鍵１を複数（あるいは全鍵）を同時に組み付ける場合に特に有用である。
【００７１】
（第２の実施の形態）
図８は、本発明の第２の実施の形態に係る鍵盤装置の部分縦断面図である。同図は図１に対応し、上ケースや蓋体等は省略されている。本実施の形態では、質量体の構成が異なり、鍵１や支持部材２０等その他の構成は第１の実施の形態と同様である。
【００７２】
本第２の実施の形態に係る質量体１４０では、頭部１４６の下面にガイド片１５０（ガイド部）が突設されている。また、発音位置調整ネジ１４１は発音位置調整ネジ４１と形状が異なり、下端部１４１ａが曲面状に形成され、鍵１の駆動部９と当接して質量体１４０に押鍵による駆動力が伝達される。また、頭部１４１ｂにはプラスまたはマイナス状の溝が切ってあり（図示せず）、ドライバ等で下端部１４１ａの突出量が調整可能になっている。
【００７３】
側方からみたガイド片１５０の下端の形状は、第１の実施の形態における頭部４６の下面４６ａのそれと基本的に同様であり、また、発音位置調整ネジ１４１の下端部１４１ａと頭部１４６のガイド片１５０の下端の延長線との位置関係は第１の実施の形態の場合と同様である。従って、ガイド片１５０は、質量体４０の頭部４６の下面４６ａと同様のガイド機能を果たす。
【００７４】
質量体１４０にはさらに、発音位置調整ネジ１４１の下端部１４１ａの後方であって軸受け部４５の前方に、リブ１５１が突設されている。このリブ１５１は、質量体１４０の頭部１４６が自重で下方に垂れ過ぎるのを防止するために設けられ、図８に示すように、自由状態では頭部１４６が少し持ち上がっており、鍵１の後端上部１ｂの高さに下面前部１４６ｃが位置するように設定されている。その結果、質量体１４０及び鍵１の組み付けがやりやすい状態で待機することができる。なお、このリブ１５１はいわゆるつっかい棒的機能を果たすものであるから、各質量体１４０に対応して支持部材２０側に設けるようにしてもよい。
【００７５】
アクチュエータ１４２、係止部１４３、当接部１４４、頭部１４６、下面前部１４６ｃ、尾部１４７は、それぞれ第１の実施の形態におけるアクチュエータ４２、係止部４３、当接部４４、頭部４６、下面前部４６ｃ、尾部４７とは形状が異なるが、基本的機能は同様である。また質量体１４０のこれら以外の部分の構成は質量体４０と同様である。
【００７６】
第１の実施の形態では、質量体４０が組み付けられた支持部材２０を事前に棚板２に取り付けてから、鍵１を組み付けるようにしたが、本第２の実施の形態では、鍵１を先に鍵フレーム１０を介して棚板２に取り付けてから、質量体１４０が取り付けられた支持部材２０を棚板２に取り付けるようにする。前述したように、支持部材２０の嵌合部Ｋと被嵌合部Ｈとの嵌合が支持部材２０を前方にスライドすることで可能なように構成されているから、このような工程編成を採用することも容易である。組み付けは次のようにしてなされる。
【００７７】
鍵１を鍵支持部３によって回動自在に支持される組みつける。一方、支持部材２０には質量体１４０を取り付けておく。その際、質量体１４０以外の部品も事前に支持部材２０に組み付けておいてもよい。
【００７８】
次に、支持部材２０を鍵１に向かって前方に水平移動していく。すると、上述したように、リブ１５１によって頭部１４６が適当に持ち上がっていることから、質量体１４０の頭部１４６の下面前部１４６ｃが鍵１の後端上部１ｂに当接する。さらに支持部材２０をスライド移動していくと、鍵１の後端上部１ｂが頭部１４６の下面前部１４６ｃからガイド片１５０の下端に沿って（摺接しつつ）進み、鍵１の後端上部１ｂが調整ネジ１４１にひっかかることなく下端部１４１ａの下方に潜り込むように誘導（ガイド）される。
【００７９】
すなわち、移動するものは支持部材２０であり第１の実施の形態とは異なるが、鍵１と支持部材２０の相対移動によって鍵１がガイドされて正規の位置に収まるという作用としては第１の実施の形態と同様である。なお、これらの行程の最後には、前述したのと同様に嵌合部Ｋが被嵌合部Ｈに嵌合する。その後、固定部Ｍにてネジ止めすることで支持部材２０が棚板２に固定される。
【００８０】
なお、支持部材２０の組み付けは、１つずつ別個に行ってもよいが、複数あるいは全数同時に行うようにしてもよい。
【００８１】
本実施の形態によれば、質量体の組み付け性の向上に関し、第１の実施の形態で鍵１を組み付ける場合と同様の効果を奏することができる。特に、支持部材２０を嵌合部Ｋと被嵌合部Ｈとの関係で前方へのスライド移動により前部の固定が可能に構成されていることとあいまって、質量体１４０を取り付けた支持部材２０ごとの水平移動により、鍵１に対して質量体１４０を正規の位置に容易に収めることができる。
【００８２】
なお、第１の実施の形態では支持部材２０を組み付けた後に鍵１を組み付けるようにし、第２の実施の形態ではその逆にしたが、質量体の頭部４６、１４６によるガイド機能は、支持部材２０と鍵１との相対移動を伴う組み付け手法であれば発揮されるから、支持部材２０及び鍵１の少なくとも一方の移動によって両者が互いに近づいていくような組み付け手法に広く適用可能である。従って、第１、第２の実施の形態で支持部材２０と鍵１との組み付け順序を逆にしてもよく、行程編成の自由度が高い。鍵１と質量体４０（１４０）の双方の移動を伴う組み付け工程を採用した場合には、鍵及び質量体の組み付け性が向上する。
【００８３】
また、鍵フレーム１０についても、支持部材２０と同様の態様で棚板２に固定するようにしてもよい。例えば鍵１を鍵フレーム１０に組み付けると共に鍵フレーム１０の後部に嵌合部を設け、水平移動により被嵌合部に嵌合するように構成してもよく、この場合は、質量体４０を取り付けた支持部材２０を事前に棚板２に固定した上で、鍵１を鍵フレーム１０ごと後方に水平移動すれば、上記のようなガイド機能によって鍵１を正規の位置に容易に収めることができる。
【００８４】
なお、発音位置調整ネジ４１を第２の実施の形態で採用する一方、発音位置調整ネジ１４１第１の実施の形態で採用してもよい。また、リブ１５１を第１の実施の形態でも採用してもよい。一方、第２の実施の形態において、リブ１５１を設けることなく、手で質量体１４０の頭部１４６を持ち上げるようにしてもよい。なお、係止部１４３と係止部２６とをひも等でひっかけて支持部材２０を組み付ける手法は第２の実施の形態でも採用可能であることはいうまでもない。
【００８５】
なお、第１の実施の形態において、質量体４０の頭部下面４６ａの延長線を略直線状に形成し、この延長線が発音位置調整ネジ４１の頭部４１ａの曲面部分を通るように構成したが、これに限るものではない。すなわち、質量体４０と鍵１との相対移動を伴う組み付け動作において、鍵１と質量体４０とが正規の位置関係になるように頭部下面４６ａが相対的に鍵１を導くように構成すればよい。そのためには、鍵１の進行方向の端部（例えば後端上部１ｂ）が調整ネジ４１の頭部４１ａの曲面近傍かそれよりも先端側（反質量体４０側）に向かって進行するように頭部下面４６ａを形成すればよい。例えば、直線状ではなく調整ネジ４１の頭部４１ａの方向に向かって凸曲面状に滑らかにつなげた形状としてもよい。第２の実施の形態における、質量体１４０の頭部１４６のガイド片１５０下端の形状についても同様である。
【００８６】
なお、第１、第２の実施の形態において、嵌合部Ｋ、被嵌合部Ｈと固定部Ｍとの組み合わせにより鍵盤装置本体に取り付けられるものとして、質量体４０が取り付けられる支持部材２０を例示したが、これに限るものでなく、本体への取付の邪魔になるような各種部品や駆動部品が上部に取り付けられる支持部材であれば適用して有用である。
【００８７】
なお、第１、第２の実施の形態では、質量体４０（１４０）が鍵１によって直接駆動される場合を例示したので、鍵１及び質量体４０の組み付け性の向上が図られるようにしたが、鍵１と質量体４０との間に駆動を伝達する介在部材が存在してもよい。その場合は、該介在部材の組み付け時に該介在部材が質量体４０によってガイドされるようにすれば、該介在部材及び質量体４０の組み付け性を向上することができる。
【００８８】
なお、嵌合部Ｋ、被嵌合部Ｈの数や固定部Ｍの数は１つの支持部材２０について２個に限らず、それぞれ１個または３個以上でもよい。なお、嵌合部Ｋ、被嵌合部Ｈ及び固定部Ｍの位置は例示したものに限定されないが、安定的な固定のためには、固定部Ｍと嵌合部Ｋ、被嵌合部Ｈとは、ある程度離間させるのが望ましい。
【００８９】
なお、第１、第２の実施の形態において、支持部材２０に嵌合部Ｋを設け、棚板２に被嵌合部Ｈを設けたが、これを逆にして、支持部材２０に被嵌合部Ｈを、棚板２に嵌合部Ｋをそれぞれ設けるようにしてもよい。
【００９０】
なお、第１、第２の実施の形態において、支持部材２０の嵌合部Ｋの形態は例示したものに限るものでなく、次のようにしてもよい。
【００９１】
図９は、支持部材の他の例を示す平面図である。同図は図２に対応する。図９に示すように、支持部材１２０では、嵌合部Ｋ’が支持部材２０の嵌合部Ｋと異なり、その他の構成は支持部材２０と同様である。嵌合部Ｋ’は、コ字状の開口部が、前方ではなく同図右方に向いている。従って、嵌合部Ｋ’を被嵌合部Ｈに嵌合させる際は、支持部材１２０を前方にスライドさせた後、支持部材１２０が同図右方（演奏者からみて左方）にいくようにスライドさせる。
【００９２】
このような構成を採用しても、支持部材１２０の前部をネジ止め不要で容易に固定することができ、位置決めの容易化、着脱作業の容易化、工程編成の自由度の確保に関し同様の効果を得ることができる。
【００９３】
【発明の効果】
以上説明したように、本発明の請求項１に係る鍵盤装置によれば、駆動体または被駆動体を支持する支持部材の鍵盤装置本体への取り付け工程を簡略化して支持部材の組み付け性を向上することができる。また、簡単な作業で支持部材を位置決めすることができ、取り外し作業も容易である。
【００９４】
請求項２に係る鍵盤装置によれば、支持部材の着脱作業を容易にして組み付け性を向上することができる。
【００９６】
請求項３に係る鍵盤装置によれば、質量体駆動体または質量体の組み付け時に質量体駆動体が被当接部にひっかかる等の不具合を回避して正規の位置に導き易くすることができ、よって、質量体駆動体または質量体の鍵盤装置本体への組み付け性を向上することができる。
【００９７】
請求項４に係る鍵盤装置によれば、質量体駆動体を質量体の腕部の先端側から回動中心側に向かって移動するだけで自然に正規の位置に収めることができ、よって、質量体駆動体の鍵盤装置本体への組み付け性を向上することができる。
【００９８】
請求項５、６に係る鍵盤装置によれば、質量体駆動体の鍵盤装置本体への組み付け性を向上することができる。
【図面の簡単な説明】
【図１】本発明の第１の実施の形態に係る鍵盤装置の部分縦断面図である。
【図２】支持部材を上方からみた平面図である。
【図３】図２のＡ−Ａ線に沿う断面図（同図（ａ））に被嵌合部の断面図（同図（ｂ））を併せて示した図である。
【図４】支持部材の下面図である。
【図５】質量体の側面図である。
【図６】鍵の組み付け直前の鍵盤装置の状態を示す部分縦断面図である。
【図７】鍵の組み付け終了間際の鍵盤装置の状態を示す部分縦断面図である。
【図８】本発明の第２の実施の形態に係る鍵盤装置の部分縦断面図である。
【図９】支持部材の他の例を示す平面図である。
【符号の説明】
１  鍵（質量体駆動体）、  ２  棚板、  ３  鍵支持部、  ４  押鍵ストッパ、  ５  キーガイド、  ９  駆動部（当接部）、  １０  鍵フレーム、  ２０  質量体支持部材、  ２３  スイッチ基板、  ２６  係止部、  ２７  鍔部、  ３０  長穴、  ３２  回動軸部（左側突起部３２Ｌ、３２Ｒ）  ４０  質量体、  ４０Ａ  前方延設部（腕部）、  ４１  発音位置調整ネジ（被当接部）、  ４１ａ  頭部（先端部）、  ４１ｂ  調整部、  ４１ｃ  軸部、  ４５  軸受け部（回動中心）、  ４６  頭部（腕部先端側部分、先端部）、  ４６ａ  下面（ガイド部）、  ６０  座金付き肩付きネジ（抑え部材）、  ６０ｃ  ネジ部、  ６０ｂ  非ネジ部（軸部）、  ６０ａ  頭部（軸部）、  ６１  ネジ（固定手段）
【図１】
0003624776.tif 000002
【図２】
0003624776.tif 000003
【図３】
0003624776.tif 000004
【図４】
0003624776.tif 000005
【図５】
0003624776.tif 000006
【図６】
0003624776.tif 000007
【図７】
0003624776.tif 000008
【図８】
0003624776.tif 000009
【図９】
0003624776.tif 000010